(57)【要約】【課題】  傾動時に飲料容器から溢出した飲料が装置本体側に流れないようにした飲料ディスペンサの容器受台装置を提供する。【解決手段】  容器受台装置２０には、傾動基板２１の上端部に上縁支持部材３０が設けられており、傾動基板の中間部には上段受台４０と下部に下段受台５０が設けられている。上縁支持部材３０には、上側前面に張り出し３０ａが形成されるとともに前面に複数の誘導溝３０ｂが形成されている。カバー６０は、傾動基板２１の前面に取り付けられており、カバー６０は、上縁支持部材３０より上方へ突出する突出部６０ｂを備えている。【選択図】    図７
2005272007.tif 000002
【特許請求の範囲】
【請求項１】
装置本体の前面に回動可能に軸架して同装置本体に組み付けた傾動装置によってその下端部が前方に押し上げられたとき所定の角度にて上方に傾斜し同傾動装置の非作動時に同装置本体の前面に沿って垂下する傾動基板と、
該傾動基板に位置調節可能に固定されて飲料容器が載置される受台を備えてなり、
前記傾動基板の上端部に飲料容器の上縁部を支持する上縁支持部材を取り付けたことを特徴とする飲料ディスペンサの容器受台装置。
【請求項２】
前記上縁支持部材には、飲料容器から溢出する飲料を傾動基板の背面側に流れるのを防ぐ張り出しが形成されたことを特徴とする請求項１に記載の飲料ディスペンサの容器受台装置。
【請求項３】
前記上縁支持部材は、前面に飲料容器から溢出する飲料を下方へ流す溝部を形成したことを特徴とする請求項１または請求項２に記載の飲料ディスペンサの容器受台装置。
【請求項４】
前記傾動基板は傾動基板に設けた軸部により前記装置本体の前面に回動可能に軸架して垂下し、前記上縁支持部材を前記軸部の取付箇所を覆うように取り付けたことを特徴とする請求項１〜請求項３の何れか１項に記載の飲料ディスペンサの容器受台装置。
【請求項５】
前記傾動基板には、前記上縁支持部材との間に前記傾動基板の前面を覆うように形成したカバーを設けたことを特徴とする請求項１〜請求項４の何れか１項に記載の飲料ディスペンサの容器受台装置。
【請求項６】
前記カバーは、前記上縁支持部材より上方へ突出する突出部を設けたことを特徴とする請求項５に記載の飲料ディスペンサの容器受台装置。
【請求項７】
前記カバーと前記上縁支持部材との間には、飲料容器から溢出した飲料を下方へ流す隙間が形成されていることを特徴とする請求項６に記載の飲料ディスペンサの容器受台装置。
【発明の詳細な説明】
【技術分野】
【０００１】
本発明は、ビール等の飲料容器を傾動可能に載置して支持する容器受台装置を備えた飲料ディスペンサ、特に前記容記受台装置の改良に関するものである。
【背景技術】
【０００２】
従来、下記の特許文献１においては、ビール等の飲料容器が載置される受台を当該飲料容器の高さに応じてその取付基板に位置決め固定して該取付基板の下端部を前方に押し上げることで該受台に載置した飲料容器を傾斜させる飲料ディスペンサの容器受台装置が開示されている。
【特許文献１】特開２００３−２６１１９９号公報。
【発明の開示】
【発明が解決しようとする課題】
【０００３】
上記特許文献１に開示された飲料ディスペンサの容器受台装置においては、受台に載置した飲料容器にビール等の発泡飲料を過剰に泡立てることなく自動注出するために飲料容器を所定角度に傾斜させており、傾斜した飲料容器から飲料が溢出したときには飲料が取付基板の上端部から背面に流れることがあり、溢出した飲料が取付基板の背面に流れないようにするためには、取付基板の高さを受台に載置した飲料容器の上縁よりも高くしなければならなく、このようにすると取付基板の高さが必要以上に高くなっていた。
【課題を解決するための手段】
【０００４】
本発明は上記課題を解決するため、装置本体の前面に回動可能に軸架して同装置本体に組み付けた傾動装置によってその下端部が前方に押し上げられたとき所定の角度にて上方に傾斜し同傾動装置の非作動時に同装置本体の前面に沿って垂下する傾動基板と、該傾動基板に位置調節可能に固定されて飲料容器が載置される受台を備えてなり、前記傾動基板の上端部に飲料容器の上縁部を支持する上縁支持部材を取り付けたことを特徴とする飲料ディスペンサの容器受台装置を提供するものである。
【０００５】
上記のように構成した飲料ディスペンサの容器受台装置においては、受台に載置した飲料容器が後方に傾けられたときにも、飲料容器の上縁が傾動基板に取り付けられた上縁支持部材に支持されているので飲料容器を安定した状態で傾けて注出することができる。
【０００６】
また、上記のように構成した飲料ディスペンサの容器受台装置においては、上縁支持部材に飲料容器から溢出する飲料を傾動基板の背面側に流れるのを防ぐ張り出しが形成されるのが好ましく、このようにすれば、飲料容器が傾けられているときに飲料が溢出しても、溢出した飲料が上縁支持部材に形成された張り出しによりせき止められるので傾動基板の背面側に飲料が流れることはない。
【０００７】
また、上記のように構成した容器受台装置においては、上縁支持部材の前面に飲料容器から溢出する飲料を下方へ流す溝部を形成するのが好ましく、このようにすれば飲料容器が傾けられているときに飲料が溢出したときに、溢出した飲料が上縁支持部材に形成された溝部により下方へ流れ落ち、容器受台装置の側方から飲料が流れることがない。
【０００８】
また、上記のように構成した容器受台装置においては、前記傾動基板は傾動基板に設けた軸部により前記装置本体の前面に回動可能に軸架して垂下し、前記上縁支持部材を前記軸部の取付箇所を覆うように取り付けるようにするのが好ましく、このようにすれば取付基板に設けた軸部の取付箇所を覆うことで外観がよくなる。
【０００９】
また、上記のように構成した容器受台装置においては、前記傾動基板には、前記上縁支持部材との間に前記傾動基板の前面を覆うように形成したカバーを設けるようにするのが好ましく、このようにすれば、飲料容器が傾けられて飲料が溢出して上縁支持部材から下方に流れ落ちる飲料をカバーに沿って下方へ流下させることができる。さらに、前記カバーは、前記上縁支持部材より上方へ突出する突出部を設けるようにするのが好ましく、このようにすれば、飲料容器から溢出した飲料が上縁支持部材の上方を越えて流れるときにも、溢出した飲料がカバーの突出部で受け止めることができ、傾動基板の背面側に飲料が流れることはない。さらに、前記カバーと前記上縁支持部材との間には、飲料容器から溢出した飲料を下方へ流す隙間が形成されているのが好ましく、このようにすれば、カバーの突出部で受け止められた飲料は、前記隙間を通ってカバーに沿って下方に流下させることができる。
【発明を実施するための最良の形態】
【００１０】
以下、本発明をビールディスペンサに適用した実施形態を図１〜図６を参考にして説明する。このビールディスペンサの装置本体１０の前面には、図示しないビール樽から送出され装置本体１０に設けた水槽にて冷却されたビールとその泡を注出する注出コック１１と、その上方に位置して同注出コック１１の操作レバーを傾動させる駆動装置１２と、注出コック１１の下方に位置してジョッキを載置する容器受台装置２０と、容器受台装置２０の背面で該容器受台装置２０を傾動させる傾動装置１３と、容器受台装置２０の下方に位置してジョッキから溢出するビールとその泡を受けるドレンパン１４を備えている。      
【００１１】
容器受台装置２０は、図２〜５に示すように、傾動装置１３によってその背面を押動されてその下端部が前方に押し上げられたとき所定の角度にて上方に傾斜し傾動装置１３の非作動時に装置本体１０の前面に沿って垂下する傾動基板２１を備えている。
【００１２】
この傾動基板２１は、図２〜図５に示すように、略長方形状に形成されていて、その上端部にはジョッキの上縁を支持する上縁支持部材３０を設け、その中間部には小型のジョッキを載置する上段受台４０を設け、その下部には大型のジョッキを載置する下段受台５０を設けてある。しかして、同傾動基板２１の前面にはその前面を覆うカバー６０が設けられている。
【００１３】
傾動基板２１は、図２〜図４に示すように、上端部両側を前方に折り曲げて形成した支持部２１ａには左右一対のピン２１ｂが同軸的に溶接されている。傾動基板２１は、これら一対のピン２１ｂを装置本体１０に設けた容器受台装置用ブラケット１５に水平軸線回りに回動自在に軸支することにより、その下端部が前側に向けて所定角度にて傾くまで傾動されるようになっている。また、傾動基板２１には、上段受台４０と下段受台５０をジョッキの高さに合わせた位置で固定するために、左右一対の複数の上下方向の長孔２１ｃが形成されているとともに、これら長孔２１ｃの内側に左右一対の位置決め用長孔２１ｄが形成されている。位置決め用長孔２１ｄは、長孔２１ｃと同じ長さの長孔で内側に位置決めのための複数の凹凸部が形成されている。
【００１４】
上縁支持部材３０は、図２〜図４に示すように、上縁支持部材用ブラケット３１を介して傾動基板２１の上端部に取り付けられている。上縁支持部材用ブラケット３１は、横長の板金部材で、２箇所にねじ穴が形成された中央部がねじ３１ａにより傾動基板２１の上部前側に固定され、両側部３１ｂは前向きに折曲されて、その上側前部には１対の内向き折曲部３１ｃが形成されている。
【００１５】
上縁支持部材３０は、中空のブロック状でジョッキの上縁を支持するために略円弧状に凹んで形成された前面には、ジョッキの上縁より高い位置にジョッキから溢れたビールが上縁支持部材３０の上側を通って装置本体１０側に流れるのを防ぐための張り出し３０ａが形成され、その下側には張り出し３０ａによりせき止められたビールが上縁支持部材３０の側方に回るのを防いで下方へ誘導するための複数の誘導溝３０ｂが形成されている。
【００１６】
上縁支持部材３０の上下方向中間部には、上縁支持部材用ブラケット３１を取り付けるための両側面から背面に抜ける一対の横長スリット３０ｃが形成されている。上縁支持部材３０は、スリット３０ｃに上縁支持部材用ブラケット３１の折曲部３１ｃが嵌め込まれてその下側から挿入されたねじ３１ｄが折曲部３１ｃにねじ止めされることにより、上縁支持部材用ブラケット３１を介して傾動基板２１に取り付けられている。また、上縁支持部材３０の側部は、傾動基板２１の支持部２１ａに溶接固定されたピン２１ｂの取付面の反対側を覆うように取り付けられているので、ピン２１ｂの溶接箇所を覆うことができる。
【００１７】
上段受台４０は、図２、図３及び図５に示すように、傾動基板２１の中間部前面に上段受台用ブラケット４１を介して上下方向に位置調節可能に取り付けられている。
【００１８】
上段受台用ブラケット４１は、図３及び図５に示すように、傾動基板２１の中間部前面で平面形状がコ字状に折曲された腕部４１ａを有する板金部材であり、中央部が打ち出し成形された左右一対のボス４１ｂを位置決め用長孔２１ｄの凹凸部の何れか一箇所に係合して位置決めされ、ボス４１ｂの外側に形成した左右一対のねじ穴に長孔２１ｃの背面から挿入したねじ４１ｃにより締め付け固定されている。
【００１９】
上段受台４０は、図２及び５に示すように、ジョッキを載置する載置部４０ａと、載置部４０ａの両側で上方に折り曲げられた折曲部４０ｂとからなり、折曲部４０ｂの後端は上段受台用ブラケット４１の腕部４１ａにシャフト４４を介してねじ４１ｄにより水平軸線回りに回動自在に取り付けられている。上段受台４０の使用時には、図３の実線に示すように、上段受台４０は、上段受台用ブラケット４１の腕部４１ａの先端部下側に形成された係止部４１ｅ上に当接されて傾動基板２１からほぼ直角に突出するように係止され、下段受台５０を使用するときには、図３の二点鎖線に示すように、上段受台４０の先端部が傾動基板１１側に退避されるように傾倒する。上段受台４０の載置部４０ａの後部中央には、注出コック１１から滴下するビールとその泡を下方のドレンパン１４に逃がすための切り欠き４０ｃが形成されている。
【００２０】
上段受台４０の後半部には、図５に示すように、ジョッキの底部を傾動時に支持する底部支持部材４２が設けられている。底部支持部材４２は、樹脂製の弓形部材で、両側部上側には位置決めのための凹凸部４２ａが前後方向に沿って形成され、中央部下端には上段受台４０の切り欠き４０ｃに係合し上方への動きを規制し前後へ案内する誘導部４２ｂが形成されている。
【００２１】
上段受台４０の両側部には、図５に示すように、底部支持部材４２を前後に位置調節可能に位置決めするための左右一対のケース４３が設けられている。ケース４３は、細長い樹脂部材よりなり、互いに向き合う内側面には、図３の一部破断断面図に示すように、底部支持部材４２を位置決めするための凹凸部４３ａが前後方向に沿って形成されており、底部支持部材４２の凹凸部４２ａにケース４３の凹凸部４３ａを歯合させて底部支持部材４２の前後方向の位置決めをしている。ケース４３の裏面には、図２及び図５に示すように、縦長の凹部４３ｂが形成されており、図示右側の凹部４３ｂには、装置本体１０に設けられたリードスイッチ（図示略）を作動させるための細長い磁石４５が収容されている。
【００２２】
ケース４３は、図２に示すように、上段受台４０の折曲部４０ｂに長手状凹凸部４３ａと凹部４３ｂとの間に形成された溝部４３ｃを嵌合し、前側は内側先端下部に形成された耳部４３ｄを上段受台４０の載置部４０ａの下方に掛合して、後側は外側面後方からねじ４３ｅにより取り付けられている。上段受台４０に底径の異なるジョッキを載置するときには、ケース４３のねじ４３ｅを外し、耳部４３ｄ付近を支点に後側を上方へ回動させてからケース４３を取り外し、底部支持部材４２をジョッキの底径に合わせた位置に移動させる。ケース４３を再び取り付けるときには、ケース４３の耳部４３ｄを上段受台４０の載置部４０ａの下方に掛合させてから、折曲部４０ｂに溝部４３ｃを嵌合させるとともに底部支持部材４２の凹凸部４２ａに長手状凹凸部４３ａを歯合させて、ケース４３側面後方をねじ４３ｅにより上段受台４０に固定する。
【００２３】
また、ケース４３に収容された磁石４５は、図５に示すように、傾動基板２１及びカバー６０の幅よりも広い位置で設けられているので、図３の二点鎖線に示すような退避位置に回動したときに、装置本体１０に設けたリードスイッチ（不図示）に近い位置で作動させることができる。さらに、磁石４６は細長い形状をしているので、上段受台４０を上下方向に位置調整をしてもリードスイッチを作動させる位置に磁石４５の一部が常に配置されている。なお、ケース４３の裏面の設けた凹部４３ｂには、上段受台４０を退避位置に回動したときに凹部４３ｂを隠すための蓋が設けられている。
【００２４】
上述した上段受台４０に異なる高さのジョッキを使用するときには、傾動基板２１に設けた一つの長孔２１ｃの長さの範囲での位置調整であれば、傾動基板２１の背面から取り付けたねじ４１ｃを弛め、上段受台４０を前方にずらしてボス４１ｂと位置決め用長孔２１ｄの凹凸部の係合を外し、ジョッキの高さに合わせた凹凸部の何れか一箇所に再度係合させてねじ４１ｃにて締め付け固定をする。また、一つの長孔２１ｃの長さの範囲より大きな変更するときには、ねじ４１ｃを外して上述と同様に上段受台４０の位置調整を行う。
【００２５】
下段受台５０は、図２及び図３に示すように、上段受台４０の下方で傾動基板２１の下部前面に下段受台用ブラケット５１を介して上下方向に位置調節可能に取り付けられている。
【００２６】
下段受台用ブラケット５１は、図２及び図３に示すように、平面形状がコ字状に折曲された板金部材であり、中央部に打ち出し成形された左右一対のボス５１ｂ（凸部）を位置決め用長孔２１ｄの凹凸部の何れか一箇所に係合して位置決めし、ボス５１ｂの外側に形成した左右一対のねじ穴に長孔２１ｃの背面からねじ５１ｃにより締め付け固定されている。下段受台用ブラケット５１の中央部の両端から前側に折曲られた腕部５１ａは、下段受台５０を取り付けるために外側に折り曲げられている。
【００２７】
下段受台５０は、図２に示すように、ジョッキを載置しビールとその泡を下方のドレンパン１４に流すための切り欠き５０ｃが形成された載置部５０ａと、載置部５０ａの両側で上方に折り曲げられた折曲部５０ｂとからなり、載置部５０ａの裏面を下段受台用ブラケット５１の腕部５１ａにより下方から支持されねじにより固定されている。
【００２８】
下段受台５０の後半部には、図２に示すように、ジョッキの底部を傾動時に支持する底部支持部材５２が設けられており、上段受台４０に設けられた底部支持部材４２と同様であるので詳細な説明は省略する。
【００２９】
下段受台５０の両側部には、図２に示すように、底部支持部材５２を前後に位置調節可能に位置決めするための左右一対のケース５３が設けられている。ケース５３は、上段受台４０に設けられた図示右側のケース４３と異なり溝部５３ｂに磁石が収容されていないことが異なるだけであるので詳細な説明は省略する。
【００３０】
ケース５３は、上段受台４０に設けられたケース４３と同様の方法で取付及び底部支持部材５２を位置決めしているので詳細な説明は省略する。
【００３１】
なお、下段受台５０は、上段受台４０と同様の方法で上下方向の位置調整をしているので詳細な説明は省略する。
【００３２】
カバー６０は、図２〜図５に示すように、傾動基板２１の前側で両側部を前方に湾曲させてその両端は後方に向けて折り曲げられた板金部材で、背面の上端部中央に設けられたフック６０ａを上縁支持部材用ブラケット３１の中央部に係止して着脱可能に固定されている。また、カバー６０と上縁支持部材３０との間には、図４に示すように、隙間Ｓが形成されている。
【００３３】
カバーは６０は、傾動基板２１の前側を覆うことで上縁支持部材用ブラケット３１、上段受台用ブラケット４１及び下段受台用ブラケット５１の取付部分と、各ブラケット４１、５１の取り付けられない傾動基板２１の長孔２１ｃと位置決め用長孔２１ｄを覆い容器受台装置２０の外観を損なわないようにしている。また、カバー６０は、ビールが付着して汚れたときには、フック６０ａを上方に引張り出すことで、傾動基板２１から取り外せるようになっている。
【００３４】
さ  傾動基板２１の下端部には、カバー６０の前面を流れ落ちるビールの勢いを止め、下方にあるドレンパン１４に的確に流下さるための断面Ｌ字状の受承部材６１が設けられている。
【００３５】
上記のように構成した容器受台装置２０の作動について説明する。小型のジョッキにビールとその泡を注出するときは、上段受台４０を水平位置に倒し、上段受台４０の載置部４０ａにジョッキを載置する。このとき、装置本体１０に設けたリードスイッチは非検知状態になり、装置本体１０が、上段受台４０に小型のジョッキが載置されていることを判断する。この状態で図示しない注出ボタンを操作すると、容器受台装置２０の背面に設けられた傾動装置１３が作動して、容器受台装置２０とともに上段受台４０に載置されている小型のジョッキを傾動する。小型のジョッキが傾動すると、駆動装置１２により注出コック１１の操作レバーが傾動され、小型のジョッキに設定量のビールが注出される。設定量のビールが注出されると、駆動装置１２により注出コック１１の操作レバーが中立位置に戻されてビールの注出が終了するとともに傾動装置１３により、容器受台装置２０が元の位置に戻される。容器受台装置２０が元の位置で停止すると、駆動装置１２により注出コック１１の操作レバーが傾動され、小型のジョッキに設定量のビールの泡が注出される。
【００３６】
また、大型のジョッキにビールとその泡を注出する場合は、図３の二点鎖線に示すように、上段受台４０の先端部を傾動基板１１側に退避させるように傾倒して下段受台５０を使用する。このとき、装置本体１０は、右側のケース４３に収容された磁石４５によりリードスイッチが検知状態となることにより、下段受台５０に大型のジョッキが載置されていることを判断し、大型のジョッキに対応した量のビールとその泡が上記と同様に注出される。
【００３７】
以上のように構成したビールディスペンサの容器置台装置２０は、傾動基板２１の上端部には上縁支持部材３０が設けられて各受台４０、５０に載置した飲料容器の上縁を支持しているので飲料容器を安定した状態で傾動させて注出することができる。上縁支持部材３０の上側前面には張り出し３０ａが形成されているので、傾動時に飲料容器から飲料が溢出したときには、装置本体１０側に飲料が流れるのを防ぐことができる。また、上縁支持部材３０の前面には複数の誘導溝３０ｂが形成されているので、傾動時に飲料が飲料容器から溢出したときに上縁支持部材３０の側方に飲料が回るのを防いで下方に流下させることができる。よって、飲料容器からビールが溢出したときには、飲料は、上縁支持部材３０の張り出し３０ａ及び誘導溝３０ｂにより下方へ流下され、カバー６０の前面を流れ落ちる。カバー６０の前面を流れる飲料は、受承部材６１により勢いを止められて、下方に設けたドレンパン１４に流れる。
【００３８】
なお、上縁支持部材３０は、傾動基板２０の支持部２１ａの内側に設けられているので、外側に設けられたピン２１ｂの支持部２１ａの内側の溶接箇所を覆うことにより外観がよくなる。
【００３９】
また、上述した実施形態では、特許請求の範囲に記載の受台は上段受台４０と、下段側受台５０の上下２段の受台に対応するものであるが、本発明はこれに限られるものではなく、１段若しくは３段以上の受台を備える容器受台装置２０であってもよい。
【００４０】
また、上述した実施形態では、ビールディスペンサに限られるものではなく、飲料を注出する飲料ディスペンサに用いてもよい。
【００４１】
次に、上記実施形態の変形実施例を図７及び図８を用いて説明する。本変形実施例は、図７及び図８に示すように、カバー６０の上部が、上縁支持部材３０よりも上方へ突出して突出部６０ｂを形成している点が異なるので、この点について説明する。
【００４２】
このような変形実施例におけるビールディスペンサの容器置台装置２０は、飲料容器を傾動させて飲料を注出するときに、飲料容器から溢出した飲料が上縁支持部材３０を越えて流れるときにも、カバー６０の突出部６０ｂが溢出する飲料を受け止めて装置本体１０側に流れるのを防ぐことができる。カバー６０の突出部６０ｂで受け止めた飲料は、上縁支持部材３０との間にできた隙間Ｓを通ってカバー６０の前面を通って下方に流下し、受承部材６１で流下する飲料の勢いが止められて、ドレンパン１４に流れる。よって、本変形実施例においては、飲料容器から溢出した飲料を上縁支持部材３０だけでなくカバーの突出部６０ｂでも装置本体１０側に流れないようにさせることができる。
【００４３】
さらに、上述した実施形態においては、各受台４０、５０に載置する飲料容器の高さが高いときには、飲料容器の上縁が上縁支持部材３０よりも高い位置となることがあるが、本変形実施例では、そのような場合でも、カバー６０の突出部６０ｂが、飲料容器から溢出する飲料を受け止めて装置本体１０側に流れるのを防ぐことができる。
【図面の簡単な説明】
【００４４】
【図１】本発明の一実施形態を示すビールディスペンサの装置本体の側面図である。
【図２】本発明に係る容器受台装置の正面図である。
【図３】本発明に係る容器受台装置の一部破断側面図である。
【図４】本発明に係る容器受台装置の平面図である。
【図５】図２に示す容器受台装置のＡ−Ａ断面図である。
【図６】傾動基板の他の実施形態を示す正面図である。
【図７】本発明の変形実施例に係る容器受台装置の正面図である。
【図８】本発明の変形実施例に係る容器受台装置の一部破断側面図である。
【符号の説明】
【００４５】
１０…装置本体、１３…傾動装置、２０…容器受台装置、２１…傾動基板、２１ｂ…ピン、３０…上縁支持部材、３０ａ…張り出し、３０ｂ…溝部（誘導溝）４０…上段受台、５０…下段受台、６０…カバー、６０ｂ…突出部、Ｓ…隙間。
【図１】
2005272007.tif 000003
【図２】
2005272007.tif 000004
【図３】
2005272007.tif 000005
【図４】
2005272007.tif 000006
【図５】
2005272007.tif 000007
【図６】
2005272007.tif 000008
【図７】
2005272007.tif 000009
【図８】
2005272007.tif 000010